(57)【要約】本発明は、ある場所、通常は容器（１４）から、別の場所への球形要素の動きを調整するための、調整装置（１０）を提供する。該装置（１０）は、円筒形チューブ部材（１８）と、回転軸（２２）を中心に該チューブ部材（１８）と相対的に回転するように該チューブ部材（１８）に設けられる供給ヘッド（２０）とからなる。供給通路（３２）が、供給ヘッド（２０）の径方向外縁部から上方に開口する。供給ヘッド（２０）が回転するにつれて、球形要素が供給通路（３２）内に進入し、そこから排出される。
2005525555.tif 000002
【特許請求の範囲】
【請求項１】
球形要素を下方に向けられた供給経路内に供給する工程と、
前記供給通路内の供給ヘッドを回転させて、前記供給経路から導出する供給通路を通る前記球形要素の動きを調整する工程とを含むことを特徴とする、球形要素の動きを制御する方法。
【請求項２】
前記球形要素を、該要素が包含される容器から前記供給経路内に供給することを含む、請求項１に記載の方法。
【請求項３】
前記球形要素が前記供給通路内に進入する速度を調整することを含む、請求項１又は２に記載の方法。
【請求項４】
前記球形要素が前記供給通路内に進入する速度を調整することが、前記供給ヘッドの１以上の所定位置においてのみ前記球形要素が前記供給通路内に進入することを許可することを含む、請求項３に記載の方法。
【請求項５】
ある場所から別の場所への球形要素の動きを調整するための調整装置であって、
球形要素をその内部に受け入れることができる下方に延びた供給経路を画成する供給経路画成手段と、
前記供給経路から導出する少なくとも１つの供給通路と、
前記供給経路内で回転するよう設けられて、前記球形要素の前記供給経路から前記供給通路への流れを調整する供給ヘッドとを備えたことを特徴とする、調整装置。
【請求項６】
前記球形要素を包含する容器の排出口から、前記供給経路が下方に向かって延びることを特徴とする、請求項５に記載の調整装置。
【請求項７】
前記供給通路が、前記球形要素が１列になってその内部を通れる寸法になっていることを特徴とする、請求項５又は６に記載の調整装置。
【請求項８】
前記供給通路が、前記供給ヘッド内から上方に開口する上端を有することを特徴とする、請求項５〜７のいずれかに記載の調整装置。
【請求項９】
前記供給ヘッドの上面が、前記供給経路内の前記球形要素を前記供給通路の前記上端に向けて供給するように傾いていることを特徴とする、請求項８に記載の調整装置。
【請求項１０】
前記供給ヘッドの上面がその径方向外縁から内側に向かい上方に傾斜し、前記供給通路の前記上端が前記供給ヘッド内からその径方向外縁領域において開口していることを特徴とする、請求項９に記載の調整装置。
【請求項１１】
前記球形要素が前記供給通路内を通過する速度を調整するための調整手段を備えたことを特徴とする、請求項８〜１０のいずれかに記載の調整装置。
【請求項１２】
前記調整手段が、前記供給通路の前記上端部を覆うとともに、前記供給ヘッドと共に回転する前記供給通路内への球形要素の進入を抑制する非連続的バリアを備えることを特徴とする、請求項１１に記載の調整装置。
【請求項１３】
前記バリアが、前記供給ヘッドの径方向外縁領域の上面に隣接して位置する周方向肩部によって形成され、該肩部が、球形要素を受け入れることができる径方向内側下方に向かって開口する少なくとも１つの凹部を有することを特徴とする、請求項１２に記載の調整装置。
【請求項１４】
周方向に間隔をあけた複数の凹部が前記肩部に設けられることを特徴とする、請求項１３に記載の調整装置。
【請求項１５】
前記供給通路が、前記供給経路内に向けて上方に開口する上端部と、該上端部から角度をなしてオフセットする下端部と、前記上端部と前記下端部との間に延びる中間部とを有することを特徴とする、請求項５〜７のいずれかに記載の調整装置。
【請求項１６】
前記下端部が、前記供給ヘッドの回転方向において角度をなすように、前記上端部からオフセットすることを特徴とする、請求項１５に記載の調整装置。
【請求項１７】
前記中間部が、前記供給ヘッドの径方向外面に隣接してその周方向の少なくとも一部にわたって延びることを特徴とする、請求項１６に記載の調整装置。
【請求項１８】
周方向に間隔をあけた複数の供給通路が設けられていることを特徴とする、請求項１５〜１７のいずれかに記載の調整装置。
【請求項１９】
請求項５〜１８のいずれかに記載の調整装置を少なくとも１つ設けた球形要素取り扱い装置を備える、原子力プラント。
【請求項２０】
ここに実質的に記載され例示される、請求項１に記載の方法。
【請求項２１】
ここに実質的に記載され例示される、請求項５に記載の調整装置。
【請求項２２】
ここに実質的に記載され例示される、新規な方法、新規な装置、または新規な原子力プラント。
【発明の詳細な説明】
【技術分野】
【０００１】
本発明は、球形要素の動きを制御する方法及び球形要素の動きを調整するための装置に関する。
【背景技術】
【０００２】
本発明者等は、ある場所から別の場所への要素の動きを制御することが望ましい状況を認識した。
【０００３】
そのような状況の一例に、ぺブルベッド型の高温・ガス冷却式反応炉を使用した原子力プラントがある。ぺブルベッドの反応炉は、球形の燃料要素と球形の減速材とを使用しており、反応炉内を通るか或いはプラントの周囲をめぐる球形要素の動きを注意深く制御することが非常に重要である。
【発明の開示】
【課題を解決するための手段】
【０００４】
本発明の一つの側面によれば、球形要素を下方に向けられた供給経路内に供給する工程と、前記供給経路内の供給ヘッドを回転させて、前記供給経路から導出する供給通路内を通る前記球形要素の動きを調整する工程とを含む、球形要素の動きを制御する方法が提供される。
【０００５】
この方法は、球形要素を、該要素が包含される容器から供給経路内に供給することを含んでもよい。よって、この方法は、該要素を包含する容器からの球形要素の取り出しに特によく適している。
【０００６】
この方法は、球形要素が供給通路内に進入する速度を調整することを含んでもよい。
【０００７】
球形要素が供給通路内に進入する速度を調整する際には、供給ヘッドの１以上の所定位置においてのみ、球形要素が供給通路内に進入できるようにしてもよい。
【０００８】
本発明の他の側面によれば、ある場所から別の場所への球形要素の動きを調整するための調整装置であって、球形要素をその内部に受け入れることができる下方に延びた供給経路を画成する供給経路画成手段と、前記供給経路から導出する少なくとも１つの供給通路と、前記供給経路内で回転するよう設けられて、前記球形要素の前記供給経路から前記供給通路への流れを調整する供給ヘッドとを備えた調整装置が提供される。
【０００９】
この発明は、特に球形要素を包含する容器からの該要素の取り出しに適用してもよく、その場合供給通路は球形要素を包含する容器の排出口から通常下方に向かって延びる。
【００１０】
供給通路は、球形要素が１列になってその内部を通れる寸法になっていてもよい。
【００１１】
本発明の一実施例においては、供給通路が供給ヘッド内から上方に開口する上端を備えてもよい。
【００１２】
供給ヘッドは、供給経路内の球形要素を供給通路の上端に向けて供給するように傾いている上面を備えてもよい。本発明の好ましい実施例においては、供給ヘッドの上面がその径方向外縁から内側に向かい上方に傾斜し、供給通路の上端が供給ヘッド内からその径方向外縁領域において開口してもよい。
【００１３】
上記の構成においては、球形要素が供給通路に進入して通過するのは一度に１個としもよく、これにより容器からの該要素の排出に対してある程度の制御ができる。しかしながら、球形要素が排出される速度は、排出がより密になるように調整するのが望ましいであろう。
【００１４】
この目的のため、本調整装置は、球形要素が供給通路内を通過する速度を調整するための調整手段を備えてもよい。この目的は、球形要素が供給通路内に進入する速度を調整することによっても達成できる。
【００１５】
よって、この方法は、球形要素が供給ヘッドの１以上の所定位置においてのみ前記供給通路内に進入することを許可することを含んでもよい。このように、供給ヘッド１回転当りの供給通路内に進入する球形物の数を、密になるように制御できる。
【００１６】
調整手段は、供給通路の上端を覆うとともに、供給ヘッドと共に回転する供給通路内への球形要素の進入を抑制する非連続的バリアを備えてもよい。
【００１７】
このバリアは、供給ヘッドの径方向外縁領域の上面に隣接する位置にある周方向肩部によって形成されてもよい。該肩部は、球形要素を受け入れることができる径方向内側下方に向かって開口する少なくとも１つの凹部を有する。よって、重力の影響下で、球形要素はこの凹部に進入することになる。供給ヘッドが回転するにつれて、供給通路の上端が凹部と位置合わせされる度に、球形要素はこの凹部に進入するのである。好ましくは、周方向に間隔をあけた複数の凹部が肩部に設けられる。よって、供給ヘッド１回転当りに排出される球形要素は、凹部の数と一致することになる。
【００１８】
本発明の他の実施例においては、供給通路が、供給経路内に向けて上方に開口する上端部と、該上端部から角度をなしてオフセットする下端部と、上端部と下端部との間に延びる中間部とを有する。
【００１９】
この中間部は、供給ヘッドの径方向外面に隣接してその周方向の少なくとも一部にわたって延びてもよい。よって、下端部は、供給ヘッドの回転方向において角度をなすように、上端部からオフセットしてもよい。
【００２０】
周方向に間隔をあけた複数の供給通路を設けてもよい。
【００２１】
本発明は、上記の型式の調整装置を少なくとも１つ設けた、球形要素取り扱い装置を備える原子力プラントにも適用範囲が及ぶ。
【発明を実施するための最良の形態】
【００２２】
次に、添付の図面を参照して、本発明を実施例により説明する。
【００２３】
図１において、符号１０は、本発明による調整装置の全体を指す。
【００２４】
調整装置１０は、とりわけ球形燃料及び／又は球形減速材である球形要素１２を、球形要素１２を包含する容器１４から取り出すことが意図される。容器１４は、下方に向けられて容器１４の底から開口する排出口１６を備える。容器１４の底は、容器１４に包含された球形要素１２を排出口１６に向けて供給するよう、排出口１６に向かって下方に傾いている。
【００２５】
調整装置１０は、容器１４の排出口１６から下方に延びる円筒形チューブ部材１８を備える。供給ヘッド２０が、円筒形チューブ部材１８に対して回転できるように、円筒形チューブ部材１８に設けられる。供給ヘッド２０の寸法は、供給ヘッド２０とチューブ部材１８の内面との間の間隙に球形要素１２が進入できない程小さくなっている。
【００２６】
供給ヘッド２０は、円形円筒状中央部２４と、全体的に円錐状の上部２６と、チューブ状ステム２８とを備える。上部２６及びステム２８は、中央部２４の両側に設けられる。ステム２８は、通常駆動シャフトとして機能する。
【００２７】
上部２６は、その中心から下方外側に向かって勾配が付けられた上面、すなわち冠部３０を有する。
【００２８】
供給通路３２は、供給ヘッド２０内を下方に延びる。より具体的には、供給通路３２は、その径方向外縁部において、冠部３０内から開口する上端３２．１を有する。当初、供給通路３２は、その上端３２．１から垂直方向下方に延び、その後供給ヘッド２０の中心に向かって径方向内側下方に延びてから、ステムすなわち駆動シャフト２８内を下方に延びる。駆動機構（非図示）は、通常駆動自在に駆動シャフト２８に接続され、これによりシャフト、従って供給ヘッド２０が軸２２を中心に回転可能となる。
【００２９】
上記の実施例においては、チューブ部材１８が供給経路３４を画成する。
【００３０】
使用においては、球形要素１２が、重力の影響下、排出口１６内を通り供給経路３４を下って、供給ヘッド２０の上部に蓄積される。加えて、冠部３０の傾斜により、球形要素１２は、径方向外側下方への移動を促される。供給ヘッド２０が軸２２を中心に回転するにつれ、球形要素は、冠部３０の径方向外縁部に沿って円形の一列に配列される。球形要素１２が供給通路３２の上端３２．１まで並びながら、球形要素１２は、重力の影響下、供給通路３２内に落ち込んで行く。このようにして、球形要素の排出が制御される。しかし、球形要素が一連づつ排出される可能性があるので、球形要素が排出される速度を排出がより密になるよう制御することが望ましいであろう。
【００３１】
よって、別段に表示しない限り類似の部分については同一の符号が用いられる本発明の他の実施例においては、図２及び図３に示すように、チューブ状の挿入物４０が部材１８内に設けられる。
【００３２】
通常、挿入物４０の肉厚は、球形要素１２の直径よりわずかに大きくなっている。内側下方に開口する複数の凹部４２が、挿入物４０の下縁部に設けられる。凹部４２は、周方向に延びるランド部４４によって分離される。各凹部４２の寸法は、通常そこに一個の球形要素１２が受け入れられるように設定されている。
【００３３】
よって、本発明のこの実施例の使用においては、各球形要素１２は、重力の影響下、それぞれ凹部４２内に進入するよう下方への移動を促される。供給通路３２の上端３２．１がランド部４４の１つと位置合わせされると、供給経路３４は実質的に閉鎖されて、球形要素１２の供給経路３４への進入が阻止される。しかし、上端３２．１が凹部４２の１つと位置合わせされると、凹部４２内に位置する球形要素１２は供給経路３４内に落ち込み、通常の方法で所望の位置から排出することができる。このように、供給ヘッド２０の１回転毎に排出される球形要素の数は、排出が密になるように制御することができる。
【００３４】
当然ながら、調整装置の構成要素の寸法を変えることは可能である。しかし、本発明者等は、供給経路３４が、調整装置において使用が意図される球形要素の直径の少なくとも６倍の内径を通常有すべきと考える。
【００３５】
本発明者等は、本発明による調整装置が、制御された球形要素の排出を可能にすると考える。加えて本発明者等は、調整装置が、ブリッジ建設の結果による詰まりの形成を抑制するであろうと考える。更に、該装置においては、例えば供給通路３２の上端３２．１がランド部４４の１つと位置合わせされたところで供給ヘッドを停止することにより、球形物の取り出しを中断できるであろう。また、調整装置は、球形要素への損傷の危険性を減らす方法での球形要素の排出を可能にするであろう。加えて、本発明者等は、該装置の相対的な単純さにより作動が確実になると考える。
【００３６】
次に図４〜図７を参照する。そこでは、符号５０が本発明による他の調整装置の部分を全体的に指し、別段に表示しない限り類似の部分については同一の符号が用いられる。
【００３７】
本発明のこの実施例においては、供給通路３２は駆動シャフト２８内に延在しない。従って、駆動シャフトは必ずしも中空である必要はないが、その可能性は除外されない。
【００３８】
更に、チューブ部材１８は、全体を符号５２で示すように、肉厚が次第に増していく部分を有する。この肉厚は、チューブ部材１８の径方向内面の部分１８．１が内側下方に向かって傾いて行くに従い、下方に向かって増加する。
【００３９】
供給通路３２は、表面１８．１から上方に開口する上端部５４を有する。供給通路３２は更に、下方に傾き上端部５４から角度をなして離れていく下端部５６と、上端部５４及び下端部５６の間に延びる中間部５８とを更に有する。上端部５４及び中間部５８は、チューブ部材１８の凹部と供給ヘッド２０の表面によって画成される。
【００４０】
供給経路３４の寸法は、球形要素１２が供給通路３２内に一度に１個進入して通るように選択される。
【００４１】
使用においては、供給ヘッド２０は、矢印６０の方向に回転する。これにより、球形要素１２がチューブ部材１８内にて攪拌され、供給通路３２の上端部５４内に並んで進入することになる。球形要素１２は重力の影響下で下方に動き、供給通路３２の中間部５８内に進入し、ヘッド２０の回転の結果これに沿って運ばれる。球形要素１２は次に、供給通路３２の下端部５６に位置合わせされ、重力の影響下そこを通って排出される。
【００４２】
次に、図８を参照する。そこでは、符号７０が本発明による更に他の調整装置の部分を全体的に指し、また、別段に表示しない限り同様の部分については同一の符号が用いられる。
【００４３】
装置７０と装置５０との主な違いは、装置５０には単一の供給通路３２が設けられるのに対し、装置７０の場合には、角度的に間隔をあけた２本の供給通路３２が設けられことである。当然ながら、供給通路の本数は何本でもよい。
【００４４】
キャビティ８０（図５）は供給ヘッド２０の下方に設けられ、装置の作動に影響を与えることなくその中に粉塵や磨耗による生成物を受け入れることができる。
【００４５】
本発明者等は、駆動シャフト２８内を通る供給通路を設けることなく、駆動構成を簡素化できると考える。このことは更に、メンテナンス要員や操作要員への放射能被曝の危険を低減することにもつながる。また本発明者等は、図４〜図８に示す装置により、球形要素１２への損傷の危険性が更に低減されるであろうと考える。
【図面の簡単な説明】
【００４６】
【図１】本発明による調整装置の断面模式図である。
【図２】図１に対応する、本発明による別の調整装置の断面模式図である。
【図３】図２の線III−IIIにおける側面図である。
【図４】図１と図２に対応する、本発明による別の調整装置の断面模式図である。
【図５】図４を９０度回転させた、図４の装置の断面図である。
【図６】図４と図５の装置の平面図である。
【図７】図４〜図６の装置の、三次元破断図である。
【図８】図６に対応する、本発明による更に別の調整装置の平面図である。
【符号の説明】
【００４７】
１０・・・調整装置
１２・・・球形要素
１４・・・容器
１６・・・排出口
１８・・・チューブ部材
２０・・・供給ヘッド
２２・・・回転軸
３０・・・冠部
３２・・・供給通路
３４・・・供給経路
４２・・・凹部
４４・・・ランド部
５４・・・上端部
５６・・・下端部
５８・・・中間部
【図１】
2005525555.tif 000003
【図２】
2005525555.tif 000004
【図３】
2005525555.tif 000005
【図４】
2005525555.tif 000006
【図５】
2005525555.tif 000007
【図６】
2005525555.tif 000008
【図８】
2005525555.tif 000009
【図７】
2005525555.tif 000010
【手続補正書】
【提出日】平成16年3月12日(2004.3.12)
【手続補正１】
【補正対象書類名】特許請求の範囲
【補正対象項目名】全文
【補正方法】変更
【補正の内容】
【特許請求の範囲】
【請求項１】
球形要素を下方に向けられた供給経路内に供給する工程と、
前記供給通路内の供給ヘッドを回転させて、前記供給経路から導出する供給通路を通る前記球形要素の動きを調整する工程と、
前記球形要素が前記供給通路内に進入する速度を調整する工程とを含むことを特徴とする、球形要素の動きを制御する方法。
【請求項２】
前記球形要素を、該要素が包含される容器から前記供給経路内に供給することを含む、請求項１に記載の方法。
【請求項３】
前記球形要素が前記供給通路内に進入する速度を調整することが、前記供給ヘッドの１以上の所定位置においてのみ前記球形要素が前記供給通路内に進入することを許可することを含む、請求項１又は２に記載の方法。
【請求項４】
ある場所から別の場所への球形要素の動きを調整するための調整装置であって、
球形要素をその内部に受け入れることができる下方に延びた供給経路を画成する供給経路画成手段と、
前記供給経路から導出する少なくとも１つの供給通路と、
前記供給経路内で回転するよう設けられて、前記球形要素の前記供給経路から前記供給通路への流れを調整する供給ヘッドと、
前記球形要素が前記供給通路内を通過する速度を調整するための調整手段とを備えたことを特徴とする、調整装置。
【請求項５】
前記球形要素を包含する容器の排出口から、前記供給経路が下方に向かって延びることを特徴とする、請求項５に記載の調整装置。
【請求項６】
前記供給通路が、前記球形要素が１列になってその内部を通れる寸法になっていることを特徴とする、請求項４又は５に記載の調整装置。
【請求項７】
前記供給通路が、前記供給ヘッド内から上方に開口する上端を有することを特徴とする、請求項４〜６のいずれかに記載の調整装置。
【請求項８】
前記供給ヘッドの上面が、前記供給経路内の前記球形要素を前記供給通路の前記上端に向けて供給するように傾いていることを特徴とする、請求項７に記載の調整装置。
【請求項９】
前記供給ヘッドの上面がその径方向外縁から内側に向かい上方に傾斜し、前記供給通路の前記上端が前記供給ヘッド内からその径方向外縁領域において開口していることを特徴とする、請求項８に記載の調整装置。
【請求項１０】
前記調整手段が、前記供給通路の前記上端部を覆うとともに、前記供給ヘッドと共に回転する前記供給通路内への球形要素の進入を抑制する非連続的バリアを備えることを特徴とする、請求項９に記載の調整装置。
【請求項１１】
前記バリアが、前記供給ヘッドの径方向外縁領域の上面に隣接して位置する周方向肩部によって形成され、該肩部が、球形要素を受け入れることができる径方向内側下方に向かって開口する少なくとも１つの凹部を有することを特徴とする、請求項１０に記載の調整装置。
【請求項１２】
周方向に間隔をあけた複数の凹部が前記肩部に設けられることを特徴とする、請求項１１に記載の調整装置。
【請求項１３】
前記供給通路が、前記供給経路内に向けて上方に開口する上端部と、該上端部から角度をなしてオフセットする下端部と、前記上端部と前記下端部との間に延びる中間部とを有することを特徴とする、請求項４〜６のいずれかに記載の調整装置。
【請求項１４】
前記下端部が、前記供給ヘッドの回転方向において角度をなすように、前記上端部からオフセットすることを特徴とする、請求項１３に記載の調整装置。
【請求項１５】
前記中間部が、前記供給ヘッドの径方向外面に隣接してその周方向の少なくとも一部にわたって延びることを特徴とする、請求項１４に記載の調整装置。
【請求項１６】
周方向に間隔をあけた複数の供給通路が設けられていることを特徴とする、請求項１３〜１５のいずれかに記載の調整装置。
【請求項１７】
請求項４〜１６のいずれかに記載の調整装置を少なくとも１つ設けた球形要素取り扱い装置を備える、原子力プラント。
【請求項１８】
ここに実質的に記載され例示される、請求項１に記載の方法。
【請求項１９】
ここに実質的に記載され例示される、請求項４に記載の調整装置。
【請求項２０】
ここに実質的に記載され例示される、新規な方法、新規な装置、または新規な原子力プラント。
【手続補正書】
【提出日】平成16年12月28日(2004.12.28)
【手続補正１】
【補正対象書類名】特許請求の範囲
【補正対象項目名】全文
【補正方法】変更
【補正の内容】
【特許請求の範囲】
【請求項１】
球形要素を下方に向けられた供給経路内に供給する工程と、
前記供給通路内の供給ヘッドを回転させて、前記供給経路から導出する供給通路を通る前記球形要素の動きを調整する工程と、
前記球形要素が前記供給通路内に進入する速度を調整する工程とを含むことを特徴とする、球形要素の動きを制御する方法。
【請求項２】
前記球形要素を、該要素が包含される容器から前記供給経路内に供給することを含む、請求項１に記載の方法。
【請求項３】
前記球形要素が前記供給通路内に進入する速度を調整することが、前記供給ヘッドの１以上の所定位置においてのみ前記球形要素が前記供給通路内に進入することを許可することを含む、請求項１又は２に記載の方法。
【請求項４】
ある場所から別の場所への球形要素の動きを調整するための調整装置であって、
球形要素をその内部に受け入れることができる下方に延びた供給経路を画成する供給経路画成手段と、
前記供給経路から導出する少なくとも１つの供給通路と、
前記供給経路内で回転するよう設けられて、前記球形要素の前記供給経路から前記供給通路への流れを調整する供給ヘッドと、
前記球形要素が前記供給通路内を通過する速度を調整するための調整手段とを備えたことを特徴とする、調整装置。
【請求項５】
前記球形要素を包含する容器の排出口から、前記供給経路が下方に向かって延びることを特徴とする、請求項４に記載の調整装置。
【請求項６】
前記供給通路が、前記球形要素が１列になってその内部を通れる寸法になっていることを特徴とする、請求項４又は５に記載の調整装置。
【請求項７】
前記供給通路が、前記供給ヘッド内から上方に開口する上端を有することを特徴とする、請求項４〜６のいずれかに記載の調整装置。
【請求項８】
前記供給ヘッドの上面が、前記供給経路内の前記球形要素を前記供給通路の前記上端に向けて供給するように傾いていることを特徴とする、請求項７に記載の調整装置。
【請求項９】
前記供給ヘッドの上面がその径方向外縁から内側に向かい上方に傾斜し、前記供給通路の前記上端が前記供給ヘッド内からその径方向外縁領域において開口していることを特徴とする、請求項８に記載の調整装置。
【請求項１０】
前記調整手段が、前記供給通路の前記上端部を覆うとともに、前記供給ヘッドと共に回転する前記供給通路内への球形要素の進入を抑制する非連続的バリアを備えることを特徴とする、請求項９に記載の調整装置。
【請求項１１】
前記バリアが、前記供給ヘッドの径方向外縁領域の上面に隣接して位置する周方向肩部によって形成され、該肩部が、球形要素を受け入れることができる径方向内側下方に向かって開口する少なくとも１つの凹部を有することを特徴とする、請求項１０に記載の調整装置。
【請求項１２】
周方向に間隔をあけた複数の凹部が前記肩部に設けられることを特徴とする、請求項１１に記載の調整装置。
【請求項１３】
前記供給通路が、前記供給経路内に向けて上方に開口する上端部と、該上端部から角度をなしてオフセットする下端部と、前記上端部と前記下端部との間に延びる中間部とを有することを特徴とする、請求項４〜６のいずれかに記載の調整装置。
【請求項１４】
前記下端部が、前記供給ヘッドの回転方向において角度をなすように、前記上端部からオフセットすることを特徴とする、請求項１３に記載の調整装置。
【請求項１５】
前記中間部が、前記供給ヘッドの径方向外面に隣接してその周方向の少なくとも一部にわたって延びることを特徴とする、請求項１４に記載の調整装置。
【請求項１６】
周方向に間隔をあけた複数の供給通路が設けられていることを特徴とする、請求項１３〜１５のいずれかに記載の調整装置。
【請求項１７】
請求項４〜１６のいずれかに記載の調整装置を少なくとも１つ設けた球形要素取り扱い装置を備える、原子力プラント。
【国際調査報告】
2005525555.tif 000011
2005525555.tif 000012
2005525555.tif 000013